(57)【要約】【課題】溶着性ビーズ玩具の集合体の全体的な乾燥を促進しつつ、使い易いビーズ保持トレイ及びビーズ玩具セットを提供する。【解決手段】ビーズ保持トレイ１は、溶着性ビーズ玩具が載置される複数の凹部２０が形成される第１面１１と、前記第１面の下方側に位置し、凹状の溝３０が形成される第２面１２と、を有する。前記凹部２０は、前記溝３０と連通している。【選択図】  図１
2018143331.tif 000002
【特許請求の範囲】
【請求項１】
溶着性ビーズ玩具が載置される複数の凹部が形成される第１面と、
前記第１面の下方側に位置し、凹状の溝が形成される第２面と、
を有し、
前記凹部は、前記溝と連通していることを特徴とするビーズ保持トレイ。
【請求項２】
前記第１面の外周部に設けられる縁壁部と、
前記縁壁部に設けられ、前記溝と連通する縁壁連通路と、
を有することを特徴とする請求項１に記載のビーズ保持トレイ。
【請求項３】
前記縁壁連通路は、溝状に形成される壁部溝であることを特徴とする請求項２に記載のビーズ保持トレイ。
【請求項４】
前記凹部の周壁は、前記凹部と前記溝を連通する連通路であることを特徴とする請求項１乃至請求項３の何れかに記載のビーズ保持トレイ。
【請求項５】
前記周壁は、前記溝に対応して配置される開口部を有することを特徴とする請求項４に記載のビーズ保持トレイ。
【請求項６】
請求項１乃至５の何れか１項に記載のビーズ保持トレイと、
水溶性樹脂で形成された溶着性ビーズ玩具と、
を備えることを特徴とするビーズ玩具セット。
【発明の詳細な説明】
【技術分野】
【０００１】
本発明は、水溶性樹脂で形成された溶着性ビーズ玩具と共に使用されるビーズ保持トレイと、このビーズ保持トレイを備えるビーズ玩具セットに関する。
【背景技術】
【０００２】
従来から、水溶性樹脂で形成された粒状のビーズを用いたビーズ玩具が提供されている。このようなビーズ玩具として、特許文献１には、水融解性ビーズと、その水融解性のビーズを保持するように複数の凹部が形成されたビーズ保持台とが開示されている。このビーズ保持台は、基板と、基板の周囲に形成された周壁とからなり、基板には、水融解性ビーズを保持する保持部が形成されている。そして、この保持部には、基板を貫通する透孔と、透孔の周縁の３か所に形成され、ビーズの外周面を係止してビーズを保持する係止縁とが形成されている。
【０００３】
このビーズ玩具では、ビーズ保持台の保持部に水融解性ビーズが載置され、水が噴霧されると、ビーズ同士の接触部分が溶着し合い、一つの造形物を形成する。噴霧された水は、透孔の周縁とビーズの外周面との隙間から、透孔を介して下方に落下するようになっている。また、ビーズの外周面では、３か所の係止縁によってビーズが係止されているので、空気の流通がよく、ビーズ全体に空気が接触して、ビーズによる造形物を短時間で制作するようになっている。
【先行技術文献】
【特許文献】
【０００４】
【特許文献１】特開２０１５−１８１９１５号公報
【発明の概要】
【発明が解決しようとする課題】
【０００５】
しかしながら、噴霧した水が透孔を介して下方に落下しても、基板の下には、落下した水が溜まる。水溶解性ビーズが載置されている上面側は、透孔の周縁とビーズの外周面との隙間から、水が透孔を介して下方に落下するが、保持部を構成する基板から落下した水をどのように排水されるかは、具体的に開示されていない。
【０００６】
ここで、ビーズ保持台の保持部から落下した水がビーズの下方で溜まると、保持部の上面側は、空気の流通により素早く乾燥したとしても、保持部の下面側は、噴霧された水が貯留する。このため、ビーズの下面側は、水が貯留することによって、乾燥しづらい場合もある。すなわち、保持部の下面側に貯留する水分を効率よく排水しなければ、ビーズの下面側が湿潤状態になってしまうため、ビーズの上面側は、造形物が乾燥しても、ビーズの下面側は、造形物が乾燥しないこともあった。また、ビーズの上面側だけが先に乾燥してしまうため、ビーズの上面側の表面のみが収縮してしまい、ビーズによる造形物が変形して生成されてしまうという問題もあった。
【０００７】
本発明の目的は、溶着性ビーズ玩具の集合体の全体的な乾燥を促進し、使い易いビーズ保持トレイを提供する。
【課題を解決するための手段】
【０００８】
本発明の一つの態様に係るビーズ保持トレイは、溶着性ビーズ玩具が載置される複数の凹部が形成される第１面と、前記第１面の下方側に位置し、凹状の溝が形成される第２面と、を有し、前記凹部は、前記溝と連通している。
【０００９】
また、本発明の一つの態様に係るビーズ玩具セットは、上記したビーズ保持トレイと、水溶性樹脂で形成された溶着性ビーズ玩具と、を有する。
【発明の効果】
【００１０】
上記の態様によれば、凹部と溝とを連通する連通路を通じて、噴霧に用いた水を容易に排水することができるため、溶着性ビーズ玩具の集合体の全体的な乾燥を促進しつつ、使い易いビーズ保持トレイ及びビーズ玩具セットを提供することができる。
【図面の簡単な説明】
【００１１】
【図１】本発明の実施形態に係るビーズ保持トレイを示す斜視図である。
【図２】本発明の実施形態に係るビーズ保持トレイに溶着性ビーズ玩具が載置された状態における図１のＩＩ―ＩＩ断面を示す一部拡大断面図である。
【図３】本発明の実施形態に係るビーズ保持トレイに溶着性ビーズ玩具が載置された状態におけるビーズ保持トレイの角部分を拡大して示す一部拡大平面図である。
【図４】本発明の実施形態に係るビーズ保持トレイにおける変形例を示す図であり、溶着性ビーズ玩具が載置される凹部の断面を示す一部拡大断面図である。
【発明を実施するための形態】
【００１２】
次に、図に基づいて、本発明の実施形態を説明する。図１に示すビーズ保持トレイ１は、溶着性ビーズ玩具６０を載置して溶着性ビーズ玩具６０の集合体を作成するためのトレイである。なお、以下の説明においては、溶着性ビーズ玩具６０が載置されるビーズ保持トレイ１の面を上側として説明する。
【００１３】
図１乃至図３に示すように、ビーズ保持トレイ１は、略正方形の平板状に形成される。ビーズ保持トレイ１には、溶着性ビーズ玩具６０が載置される、複数の凹部２０を形成する第１面１１が形成される。第１面１１の下方側には、第１面１１と略平行な第２面１２が形成される。第１面１１及び第２面１２は、略平面状に形成される。そして、第１面１１の四方の外周縁部４０には、第１面１１に対して垂直な内外の壁面を有する縁壁部４１が形成される。縁壁部４１は、角部を角Ｒ状とする四角枠状に形成される。
【００１４】
ここで、図１における右上の縁壁部４１を上縁壁部４１ａとし、この上縁壁部４１ａと対向する左下の縁壁部４１を下縁壁部４１ｂとする。そして、上縁壁部４１ａと下縁壁部４１ｂとに亘って設けられる縁壁部４１のうち、図１の左上の縁壁部４１を左縁壁部４１ｃとし、図１の右下の縁壁部４１を右縁壁部４１ｄとする。そして、上縁壁部４１ａと、下縁壁部４１ｂの長手方向を行方向とし、左縁壁部４１ｃと、右縁壁部４１ｄの長手方向を列方向とする。また、上縁壁部４１ａと下縁壁部４１ｂには、壁部溝５０が設けられている。
【００１５】
第１面１１には、溶着性ビーズ玩具６０が載置される凹部２０が複数形成される。凹部２０は、平面視において円形に形成される。複数の凹部２０は、行及び列をなして配置され、異なる行又は列毎にオフセットして配置されている。
【００１６】
図２に示すように、凹部２０には、同一の穴径で周壁２３が形成される。周壁２３は、第１面１１から第２面１２まで延設される。周壁２３は、凹部２０と溝３０を連通する連通路である。そして、凹部２０に対応する第２面１２は、凹部２０の底面２５とされる。第２面１２には、複数の凹部２０の列方向に対応した凹状の溝３０が複数設けられる。溝３０は、第２面１２の列方向に亘って直線状に設けられる。このように、ビーズ保持トレイ１には、凹部２０の下側の位置にそれぞれ溝３０が配置されている。
【００１７】
また、凹部２０には、周壁２３に開口部２２が設けられている。開口部２２は、溝３０に対応して配置される開口部２２ａと、溝３０と直行する方向に配置される開口部２２ｂとを有する。換言すれば、開口部２２には、凹部２０が列方向に開口する開口部２２ａと、凹部２０が行方向に開口する開口部２２ｂとが設けられている。
【００１８】
ここで、図２又は図３に示すように、凹部２０の直径は、溶着性ビーズ玩具６０の直径よりも小さく形成されている。また、隣り合う凹部２０の中心間の距離は、凹部２０に載置された隣り合う溶着性ビーズ玩具６０が相互に接触して又は相互に僅かに接触しない程度に載置されるように、配置されている。換言すれば、隣り合う溶着性ビーズ玩具６０は、相互に近接又は接触するように、載置されている。なお、溶着性ビーズ玩具６０は、球状であっても多角形であってもよく、限定されるものではない。凹部２０の形状も同様に、円形であっても多角形であってもよく、特に限定されるものではない。
【００１９】
また、図１又は図３に示すように、上縁壁部４１ａ及び下縁壁部４１ｂには、壁部溝５０が設けられている。壁部溝５０は、溝３０と連通する縁壁連通路である。壁部溝５０は、上縁壁部４１ａ及び下縁壁部４１ｂのそれぞれの内面側の壁面に沿って、溝３０に対して垂直に立ち上がる溝である。
【００２０】
溶着性ビーズ玩具６０は、水溶性樹脂で形成されており、ポリビニルアルコールを樹脂に配合して混錬し、真球形状や多面体形状等に成形したものとすることができる。
【００２１】
次に、ユーザがビーズ保持トレイ１に溶着性ビーズ玩具６０を載置して、溶着性ビーズ玩具６０の集合体を作成する遊び方について説明する。このビーズ保持トレイ１を用いた遊び方は、以下の通りである。
【００２２】
まず、水溶性樹脂で形成された溶着性ビーズ玩具６０を、ビーズ保持トレイ１の複数の凹部２０の上面に、ユーザの所望する形状となるように載置する。
【００２３】
次に、ビーズ保持トレイ１の複数の凹部２０に載置した溶着性ビーズ玩具６０の集合体に霧吹き等で水を掛けると、溶着性ビーズ玩具６０の表面が溶融し、溶着性ビーズ玩具６０同士は、接続される。このとき、余分な水は、ビーズ保持トレイ１の凹部２０に落下し、底面２５及び溝３０に貯留される。そして、溶着性ビーズ玩具６０の集合体に水を掛けた後、溶着性ビーズ玩具６０の集合体を乾燥させる。
【００２４】
ここで、溶着性ビーズ玩具６０の集合体を乾燥させながら、上縁壁部４１ａ（４１）を下縁壁部４１ｂ（４１）よりも高くすると、底面２５及び溝３０に溜まった水は排水されつつ、溶着性ビーズ玩具６０同士は、接続された状態で硬化する。従って、ビーズ保持トレイ１に載置された溶着性ビーズ玩具６０の集合体は、所望する形状で硬化する。
【００２５】
より具体的には、上縁壁部４１ａ（４１）側が、下縁壁部４１ｂ（４１）側よりも高くなるように、ビーズ保持トレイ１を斜めに傾けたり又は垂直に立てることにより、溝３０に溜まった水は溝３０を流れ、方向Ｓ（図３参照）に沿って、壁部溝５０から排水される。また、底面２５に溜まった水は、凹部２０の湾曲した周壁面（周壁２３）を伝って、開口部２２ａや開口部２２ｂを流れ、一部の水は、溝３０に流れて、壁部溝５０から排水される。また、他の一部の水は、直接、壁部溝５０に流れて、排水される。
【００２６】
なお、壁部溝５０は、縁壁連通路の一例であり、溝の代わりに、下縁壁部４１ｂを列方向に貫通する貫通孔を採用してもよい。縁壁連通路に貫通孔を採用した場合、底面２５や溝３０に溜まった水を、その貫通孔を通じて、外周縁部４０の外部に直接、排水することができる。
【００２７】
以上のような本発明の実施形態によれば、下記の態様のビーズ保持トレイ及びビーズ玩具セットを提供することができる。
【００２８】
第１の態様に係るビーズ保持トレイは、溶着性ビーズ玩具が載置される複数の凹部が形成される第１面と、前記第１面の下方側に位置し、凹状の溝が形成される第２面と、を有し、前記凹部は、前記溝と連通している。
【００２９】
この構成によれば、ビーズ保持トレイは、溶着性ビーズ玩具に霧吹き等で水を掛けると、溶着性ビーズ玩具の表面が溶融し、ビーズ保持トレイの凹部の底面や溝に余分な水を貯留する。そして、溝は、底面や溝の余分な水を排水する。従って、溶着性ビーズ玩具の集合体の裏面を早期に乾燥させることができる。このようにして、凹部の底面や溝に溜まった水を、溝を通じて容易に外部に排水することができるので、溶着性ビーズ玩具の集合体の全体的な乾燥を促進しつつ、使い易いビーズ保持トレイを提供することができる。
【００３０】
第２の態様に係るビーズ保持トレイは、前記第１面の外周部に設けられる縁壁部と、  前記縁壁部に設けられ、前記溝と連通する縁壁連通路と、を有する。
【００３１】
この構成によれば、ビーズ保持トレイを斜めに傾けたり又は垂直に立てることにより、凹部の底面や溝に溜まった水を、外周縁部の縁壁部の縁壁連通路から排水することができるので、溶着性ビーズ玩具の集合体を早期に乾燥させることができる。
【００３２】
第３の態様に係るビーズ保持トレイは、前記縁壁連通路が、溝状に形成される壁部溝である。
【００３３】
この構成によれば、溝状に形成される壁部溝によって縁壁連通路が形成されるので、ビーズ保持トレイを斜めに傾けたり又は垂直に立てることにより、底面や溝に溜まった水を壁部溝から排水することができる。これにより、底面や溝に溜まった余分な水の排水を、容易に行うことができるので、溶着性ビーズ玩具の集合体の裏面を早期に乾燥させることができる。
【００３４】
第４の態様に係るビーズ保持トレイは、前記凹部の周壁が、前記凹部と前記溝を連通する連通路である。
【００３５】
この構成によれば、前記凹部と前記溝を連通する連通路が前記凹部の周壁であることにより、凹部の底面や溝に溜まった水を、容易に溝に導くことができる。これにより、凹部の底面に溜まった余分な水を、溝を通じて容易に排水することができるので、溶着性ビーズ玩具の集合体の裏面を早期に乾燥させることができる。
【００３６】
第５の態様に係るビーズ保持トレイは、前記周壁が、前記溝に対応して配置される開口部を有する。
【００３７】
この構成によれば、凹部の周壁に開口部が設けられるので、溶着性ビーズ玩具に塗布した余分な水を、壁部溝や溝を通じて容易に排水することができる。これにより、溶着性ビーズ玩具の集合体の裏面を早期に乾燥させることができる。
【００３８】
第６の態様に係るビーズ玩具セットは、第１の態様乃至第５の態様の何れかのビーズ保持トレイと、水溶性樹脂で形成された溶着性ビーズ玩具と、を備える。
【００３９】
この構成によれば、溶着性ビーズ玩具の集合体の裏面を早期に乾燥させることができる。これにより、溶着性ビーズ玩具の集合体の全体的な乾燥を促進しつつ、使い易いビーズ保持トレイにより、遊ぶことができる。
【００４０】
以上、本発明の実施形態について説明したが、本発明は上記実施形態に限定されるものではなく、その要旨を逸脱しない限りにおいて、種々の変更が可能である。
【００４１】
例えば、図４に示すように、周壁２３は、第１面１１から凹部２０の底面２５までの深さと、底面２５から第２面１２までの連通長とにより形成され、底面２５から第２面１２まで所望する連通長を設けることができる。また、第１面１１、周壁２３及び第２面１２を形成する部分は、同一物体により一体として形成されていてもよく、また、別体により形成されていてもよい。
【００４２】
また、本実施形態における溶着性ビーズ玩具６０は、集合体の一部として他の樹脂材料や、ガラス、セラミック、金属材料又は木材等を用いることができる。また、本実施形態における溝３０は、凹部２０の底面２５に列方向に設けられていたが、これに限定されるものではなく、行方向又は列方向の一方に連通さえしてればよい。
【符号の説明】
【００４３】
１    ビーズ保持トレイ
２０    凹部
２２    開口部
２２ａ    行開口部
２２ｂ    列開口部
２３    周壁
２５    底面
３０    溝
４０    外周縁部
４１    縁壁部
４１ａ    右縁壁部
４１ｂ    左縁壁部
４１ｃ    上縁壁部
４１ｄ    下縁壁部
５０    壁部溝
６０    溶着性ビーズ玩具
【図１】
2018143331.tif 000003
【図２】
2018143331.tif 000004
【図３】
2018143331.tif 000005
【図４】
2018143331.tif 000006